(57)【要約】【課題】回転板自体が水中で回転するとともに回転板を支持する構造も回転を許容させて、両者が回転することによって魚を効果的に誘引可能な仕掛け釣具を提供する。【解決手段】上端部に釣り糸を設置可能で下端部にルアーを設置可能な軸部２と、この軸部２の上端部近傍から前記軸部２の下端部に向けて配置される少なくとも１本の線材部９ａ〜９ｄと、線材部９ａ〜９ｄの下端部に回動自在に設置される平板状のブレード１０ａ〜１０ｄとを備える仕掛け釣具１であって、線材部９ａ〜９ｄは軸部２に挿通されて回動自在な円筒部３に固設され、ブレード１０ａ〜１０ｄは、ブレード１０ａ〜１０ｄの長手方向に対して同一の周方向に回動容易に一部が屈曲された屈曲部を備えることを特徴とする仕掛け釣具。【選択図】図１
0003190053.tif 000002
【実用新案登録請求の範囲】
【請求項１】
上端部に釣り糸を設置可能で下端部にルアーを設置可能な軸部と、この軸部の上端部近傍から前記軸部の下端部に向けて配置される少なくとも１本の線材部と、この線材部の下端部に回動自在に設置される平板状のブレードとを備える仕掛け釣具であって、
前記線材部は前記軸部に挿通されて回動自在な円筒部に固設され、
前記ブレードは、前記ブレードの長手方向に対して同一の周方向に回動容易に一部が屈曲された屈曲部を備えることを特徴とする仕掛け釣具。
【請求項２】
前記ブレードは、前記線材部の下端部に係止部材を介して回動自在に設置されることを特徴とする請求項１に記載の仕掛け釣具。
【請求項３】
前記円筒部は前記線材部をプラスチックで形成される固定頭部材に収容して形成されることを特徴とする請求項１又は請求項２に記載の仕掛け釣具。
【請求項４】
前記固定頭部材は、水の流動を受けて前記固定頭部材を回動可能な少なくとも１個の凹部又は凸部を備えることを特徴とする請求項３に記載の仕掛け釣具。
【請求項５】
前記ブレードは平板状に代えて表裏で凹凸に湾曲する板状であることを特徴とする請求項１乃至請求項４のいずれか１項に記載の仕掛け釣具。
【考案の詳細な説明】
【技術分野】
【０００１】
本考案は、仕掛け釣具に係り、特に、回転体を具備する仕掛け釣具に関する。
【背景技術】
【０００２】
従来より、ブラックバス等の肉食魚を釣るための仕掛け釣具では、あたかも小魚が遊泳しているかのように見せる工夫がなされており、仕掛け釣具の一部に回転する構造を備えて、回転によって発生する振動や音を利用しているものがある。例えば、スピナーベイトと呼ばれる仕掛け釣具では、木の葉形状等の回転板が水中で回転して光を反射したり振動や音を与えたりして小魚が存在しているかのように振舞って魚の注意を引くように構成されている。また一方で、複数のルアーを装着可能なアラバマリグと呼ばれる仕掛け釣具では、小魚の群れを演出して釣果を上げている。
このように肉食魚を釣るための仕掛け釣具では、魚を誘引する効果を高めるために様々な検討がなされており、それに関していくつかの発明や考案が開示されている。
【０００３】
例えば、特許文献１には、「ルアー用ブレード」という名称で、光の反射量が多く、良好な回転運動をするルアー用ブレードに関する発明が開示されている。
特許文献１に開示された発明は、湾曲形成された周縁部と、この周縁部により囲まれ周縁部と一体に形成された平坦部とを備えるブレード本体と、このブレード本体の長手方向の中心線上に等間隔に設置される複数の支点とを備えるものである。
このような構造のルアー用ブレードにおいては、ブレード本体に平坦部を形成することによって、従来の断面形状が湾曲したブレードに比べると、入射光をほぼ平行に反射するので一方向への反射光の量を増大させることが可能となり、遊泳する魚に認知され易くなる。また、周縁部は支点から離れるほど漸次広くなるように形成されているので、全体のバランスを維持しながら良好に回転運動し、振動波や音や泡を出すことができる。さらに、複数の支点を備えており、これらの支点のうち隣接する支点同士にリングを挿通してラインに繋ぐことによって回転角度を増大させることを可能にしており、魚を誘引する効果が極めて高いものになっている。
【０００４】
また、特許文献２には、「ルアー用仕掛け」という名称で、複数のルアーが装着可能で絡みにくいルアー用仕掛けに関する発明が開示されている。
特許文献２に開示された発明は、釣り糸を連結可能な前方部と、この前方部の後部から下方に突設され錘を固定可能な錘保持部と、前方部の後部から後方に放射状に設置され複数の線材で形成されるルアー装着部と、前方部の後部から上方に突設されて浮きを固定可能な浮き保持部とを備えるものである。
このような構造のルアー用仕掛けでは、水面に投入する際には、複数のルアー保持部よりも錘保持部に固定される錘が先行し、ルアー保持部は釣り糸に対して一定の角度で安定して空中を飛行して着水するので釣り糸に絡みにくくなる。また、水中においては、浮き保持部に固定される浮きが上方に向かい、一方で、錘は下方に向かっていくので全体として安定した姿勢を維持することができる。従って従来の絡みやすい構造を改善して、複数のルアーを装着可能な釣果の高い仕掛けを実現している。
【０００５】
そして、特許文献３には、「回転式仕掛け釣具」という名称で、枠体が回転して魚を釣り易くすることができる回転式仕掛け釣具に関する考案が開示されている。
特許文献３に開示された考案は、上板と二の側板を備えてコの字形状に形成される内枠と、同じく上板と二の側板を備えてコの字形状に形成され、上板の中央が内枠の上板の中央の上方に配置され、二の側板が内枠の二の側板に重ならない位置に配置される外枠と、内枠の上板及び外枠の上板に貫設されて外枠を回動可能に支持する軸部と、軸部に設置されて一の端部が外枠に接続されるスプリングと、軸部の下端部に設置されるてこと、てこに接続されて内枠の上板の下面に沿って設置され端部が内枠の上板から突設されてこの揺動によって作動可能なクランク部と、外枠の一の側板に設置されてクランク部の端部を掛止可能な固定ピンと、外枠の二の側板の端部及び内枠の二の側板の端部に設置される複数の掛針とを備えるものである。
このような構造の回転式仕掛け釣具では、外枠を回転させて、外枠の二の側板を内枠の二の側板にそれぞれ近づけて、内枠の一の側板に設置されるクランク部の屈曲した端部を、外枠の一の側板に設置される固定ピンに掛止すると、外枠と内枠がそれぞれの二の側板を互いに近づけた状態で固定される。また、外枠の回転によって、軸に設置されたスプリングは付勢された状態で固定される。ここで、てこが揺動すると、クランク部が作動して固定ピンによる掛止が解除され、スプリングの付勢力によって、外枠は元の位置まで回動して、外枠の二の側板と内枠の二の側板は離れ、てこの周囲をこれらの二の側板によって囲むことができる。すなわち、クランク部を固定ピンに固定して、外枠の二の側板を内枠の二の側板にそれぞれ近づけた状態で、てこの先端に餌を設置して水中に放つと、魚が餌をつついたときにてこが揺動して、外枠が回動し、魚は外枠と内枠の二の側板によって囲まれるので、外枠と内枠に設置された複数の掛針に掛かり易くなる。
【先行技術文献】
【特許文献】
【０００６】
【特許文献１】特開２００２−１２５５２５号公報
【特許文献２】特開２０１３−２１５１３４号公報
【特許文献３】実開平７−２５７６９号公報
【考案の概要】
【考案が解決しようとする課題】
【０００７】
特許文献１に開示された発明においては、ブレードの形状や支点の位置を工夫することによってブレードの回転を良好することを可能しているが、ブレードは単独で回転しているに過ぎず、ブレードの回転によって仕掛けの他の部材が回転することがないので魚の誘引には限界があるという課題があった。
【０００８】
また、特許文献２に開示された発明においては、複数の線材が放射状に配置されて複数のルアーが装着可能な仕掛けの構造が開示されているが、従来のアラバマリグの構造における絡み易さを改善しているものの、複数の線材が回転する構造ではないので、動きが不足して小魚の群れを模擬するには限界があるという課題があった。
【０００９】
そして、特許文献３に開示された考案においては、てこが揺動した瞬間にクランク部の掛止が解除されて外枠が回動する構造であり、一旦掛止が解除されて回動し終わると、再び回動させるためにはクランク部を手動で掛止する必要があり、外枠や内枠が水中において常時回動する構造でなく、仕掛け釣具が水中で回動することによって魚の注意を引くものではない。従って、特許文献２に開示された従来技術と同様に小魚の群れを模擬して釣りの対象となる魚を誘引するには限界があるという課題があった。
【００１０】
本考案は、このような従来の事情に対処してなされたものであり、回転板自体が水中で回転するとともに回転板を支持する構造も回転を許容させて、両者が回転することによって魚を効果的に誘引可能な仕掛け釣具を提供することを目的とする。
【課題を解決するための手段】
【００１１】
上記目的を達成するため、請求項１記載の考案に係る仕掛け釣具は、上端部に釣り糸を設置可能で下端部にルアーを設置可能な軸部と、この軸部の上端部近傍から軸部の下端部に向けて配置される少なくとも１本の線材部と、この線材部の下端部に回動自在に設置される平板状のブレードとを備える仕掛け釣具であって、線材部は軸部に挿通されて回動自在な円筒部に固設され、ブレードは、ブレードの長手方向に対して同一の周方向に回動容易に一部が屈曲された屈曲部を備えるものである。
上記構成の仕掛け釣具では、少なくとも１本の線材部の下端部に設置されるブレードは、水中では水の流動を受けて線材部を回転軸として回動し、特に、屈曲部の作用により一方向に向けて回転する。また、このブレードの回動と同時に、円筒部及び少なくとも１本の線材部が軸部を回転軸としてブレードの回動方向と同じ方向に回動する。すなわち、ブレードは自転しながら同じ方向に公転することになる。
上記構成の仕掛け釣具では、少なくとも１本の線材部を備えるので複数の線材部を備える場合も含まれるが、その際にはそれぞれのブレードが同一の周方向に回動容易に一部が屈曲された屈曲部を備える。
【００１２】
また、請求項２に記載の考案である仕掛け釣具は、請求項１記載の仕掛け釣具において、ブレードは、線材部の下端部に係止部材を介して回動自在に設置されるものである。
上記構成の仕掛け釣具では、請求項１に記載の考案の作用に加えて、係止部材はブレードの回動を円滑にするように作用する。
【００１３】
次に、請求項３に記載の考案である仕掛け釣具は、請求項１又は請求項２に記載の仕掛け釣具において、円筒部は線材部をプラスチックで形成される固定頭部材に収容して形成されるものである。
上記構成の仕掛け釣具では、請求項１又は請求項２に記載の考案の作用に加えて、線材部の上端部は固定頭部材に収容されることより、線材部の上端部は円筒部において露出せず、水中における流動抵抗が小さくなる。
【００１４】
そして、請求項４に記載の考案である仕掛け釣具は、請求項３に記載の仕掛け釣具において、固定頭部材は、水の流動を受けて固定頭部材を回動可能な少なくとも１個の凹部又は凸部を備えるものである。
上記構成の仕掛け釣具では、請求項３に記載の考案の作用に加えて、少なくとも１個の凹部又は凸部は、水中では水の流動を受けて固定頭部材を回動させるように作用する。凹部は溝部、凸部は突起部のようなものであるが、水の流動を受けて回動させる力を発生するものであれば、その形状はどのようなものでもよい。いずれも螺旋状に形成された溝やフィン状のものが代表的な形状と考えられる。
なお、本願における水の流動は、水が主体的に流れている場合の他、仕掛け釣具が移動することによって相対的に水が流れるように働く場合も含む概念である。また、水の流動を受けて回動するのは、仕掛け釣具が水を受けた場合に水の流動方向が線材部の周方向に変換されることで発生する力によるものである。
【００１５】
最後に、請求項５に記載の考案である仕掛け釣具は、請求項１乃至請求項４のいずれか１項に記載の仕掛け釣具において、ブレードは平板状に代えて表裏で凹凸に湾曲する板状であるものである。
上記構成の仕掛け釣具では、請求項１乃至請求項４のいずれか１項に記載の考案の作用に加えて、ブレードでは、凹側の面から凸側の面に対して揚力が作用して、ブレードの動きが活発化する。
【考案の効果】
【００１６】
以上説明したように、本考案の請求項１に記載の仕掛け釣具によれば、ルアーの周囲においてブレードを自転及び公転という２通りに回動させることができるので、ブレードに光を反射させたり、それらの異なる２種類の回動に伴って振動や音や泡を発生させたりすることによって、水中の魚に小魚が群れて活発に泳いでいる印象を与え、仕掛け釣具に誘引させることができる。また、ブレードに形成された屈曲部によって、ブレードを線材部を回転軸として一方向に効率よく自転させると同時に線材部の軸部を回転軸として公転させることができる。
線材部を軸部を回転軸として回動（公転）させることができるので、ブレードは軸部の周方向に移動しながら回転し、実際の小魚の群れの動きにより近い動きを作り出すことができるので、さらに誘引効果の高い仕掛け釣具となる。この小魚の群れの動きの模擬に、より現実味を出すためには１本よりも複数本の線材部とブレードを用いることが望ましい。
【００１７】
本考案の請求項２に記載の仕掛け釣具によれば、請求項１記載の考案の効果に加えて、係止部材によってブレードが回動しやすくなるので、回動によって発生する光の反射や振動や音や泡を効果的に得ることができる。なお、係止部材とはブレードの回動を抑制することなく設けられるものであり、ブレードと線材部の板状と線状という形状上の特徴から直交するように設置されることから、その回動は自在であっても周囲の水流に抗するという側面もある。従って、係止部材を線材部とブレードの間に介設することで、ブレードを線材部に対して平行、すなわち水流に平行に設置することを容易とするのである。
また、着脱自在な係止部材を用いることによれば、ブレードの着脱が簡便となるので、交換が容易となる。
【００１８】
本考案の請求項３に記載の仕掛け釣具によれば、請求項１又は請求項２に記載の考案の効果に加えて、固定頭部材の設置によって水中における流動抵抗が小さくなるので、使用者の操作性が向上する。
また、汎用のプラスチック材料を用いることによって簡単且つ安価に線材部を収容する固定頭部材を形成することが可能となる。
【００１９】
本考案の請求項４に記載の仕掛け釣具によれば、請求項３に記載の考案の効果に加えて、固定頭部材が具備する少なくとも１個の凹部又は凸部は水中で水の流動を受けて固定頭部材を回動させるように作用するので、水中における線材部の軸部を回転軸とした回動（公転）を付勢して円滑に行い、その結果、安定した回動によって集魚効果を高めることが可能となる。
【００２０】
本考案の請求項５に記載の仕掛け釣具によれば、請求項１乃至請求項４のいずれか１項に記載の考案の効果に加えて、揚力によってブレードの動きが活発化するので、一様な回転に変化を加えることができ、水中の魚に対する認知効果や誘引効果を高めることができる。
【図面の簡単な説明】
【００２１】
【図１】本考案の第１の実施の形態に係る仕掛け釣具の概念図である。
【図２】（ａ）は第１の実施の形態に係る仕掛け釣具の円筒部及び固定頭部材の垂直方向の断面を示す断面図であり、（ｂ）は同じく円筒部及び固定頭部材の水平方向の断面を示す断面図である。
【図３】（ａ）は第１の実施の形態に係る仕掛け釣具のブレードの正面を示す正面図であり、（ｂ）は同じくブレードの一の側面を示す側面図であり、（ｃ）は同じくブレードの他の側面を示す側面図である。
【図４】第１の実施の形態に係る仕掛け釣具を水中において使用する場合の概念図である。
【図５】仕掛け釣具のブレードの自転と公転に関する説明図である。
【図６】第１の実施の形態に係る仕掛け釣具の第１の変形例を示す概念図である。
【図７】第１の実施の形態に係る仕掛け釣具の第２の変形例を示す概念図である。
【図８】（ａ）乃至（ｅ）は、実施例に係る仕掛け釣具の水中における回転の様子を模式的に示した概念図である。
【図９】本考案の第２の実施の形態に係る仕掛け釣具の概念図である。
【図１０】第２の実施の形態に係る仕掛け釣具の変形例を示す概念図である。
【考案を実施するための形態】
【００２２】
以下に、本考案に係る仕掛け釣具の第１の実施の形態を図１乃至図７を参照しながら説明する。
図１は、本考案の第１の実施の形態に係る仕掛け釣具の概念図である。
図１において、本実施の形態に係る仕掛け釣具１は、金属製の軸部２と、軸部２に回動自在に設置される円筒部３と、この円筒部３に固定頭部材４によって固設され、四方に広がるように放射状に湾曲して配置される金属製の４本の線材部９ａ〜９ｄを備えている。
そして、４本の線材部９ａ〜９ｄの下端部にはそれぞれ金属製のブレード１０ａ〜１０ｄが係止部材としてのクレビス１２ａ〜１２ｄを介して設置されており、ブレード１０ａ〜１０ｄは各線材部を回転軸として回動可能である。なお、本実施の形態においては、線材部は４本設置しているが、設置数は１本以上であれば特に限定されるものではなく、１本のみ設置してもよいし、２本、３本や５本あるいはそれ以上の数に設定することができる。
クレビス１２ａ〜１２ｄは、Ｕ字形状で両端部に孔が穿設された形状を有しており、金属製である。Ｕ字形状部分にブレード１０ａ〜１０ｄを吊設して、両端部の孔に線材部９ａ〜９ｄを挿通することによって線材部に回動自在に装着することができる。なお、クレビス１２ａ〜１２ｄはブレード１０ａ〜１０ｄの各線材部を回転軸とする回動を円滑に行うために設置されているが、必ずしも設置する必要はなく、ブレード１０ａ〜１０ｄに穿設される孔１１ａ〜１１ｄに直接各線材部を挿通して設置してもよい。但し、線材部９ａ〜９ｄにブレード１０ａ〜１０ｄを装着する場合にはブレード１０ａ〜１０ｄの孔１１ａ〜１１ｄに線材部９ａ〜９ｄが垂直に挿入されることから、ブレード１０ａ〜１０ｄが回動する際に流れの方向との関係で円滑にされない可能性がある。従って、クレビス１２ａ〜１２ｄを線材部９ａ〜９ｄとブレード１０ａ〜１０ｄの間に介設することで、ブレード１０ａ〜１０ｄの面と線材部９ａ〜９ｄのなす角度を平行に近づけて、仕掛け釣具１を引く際にブレード１０ａ〜１０ｄが水流による抵抗をより受けないようにしてその回動をより容易にすることが望ましい。
また、金属の他プラスチック等で形成され線材部に嵌合させたり係止させることによって着脱自在なクレビスを用いると、クレビス及びブレードの装着が容易となるので、ブレードの交換などにおいて利便性が高くなる。クレビスの形状は特にＵ字状に限定するものではなく、ブレード１０ａ〜１０ｄが円滑に回転可能であれば、形状は輪状等でもよい。以下の実施の形態や実施例でも同様である。
また、符号１３ａ，１３ｂ，１３ｄはビーズと呼ばれる金属製の留め具であり、クレビス１２ａ，１２ｂ，１２ｄが各線材部から脱落することを防止している。なお、図示していないが、線材部９ｃの下端部にも留め具１３ａ，１３ｂ，１３ｄと同様の留め具が設置されている。
そして、符号１４ａ〜１４ｄもビーズと呼ばれる金属製の留め具であり、図示するようにクレビス１２ａ〜１２ｄの上方側に設置してクレビス１２ａ〜１２ｄの移動範囲を決定する。本第１の実施の形態では、クレビス１２ａ〜１２ｄが各線材部上を移動可能なようにクレビス１２ａ〜１２ｄの幅よりも広めの位置になるように設置しているが、クレビスが各線材部上を移動しないようにクレビスの幅に合わせて設置してもよく、線材部の任意の位置に設置することができる。
なお、本第１の実施の形態においては、留め具１３ａ，１３ｂ，１３ｄ及び留め具１４ａ〜１４ｄは球状であるが、クレビスの移動を抑止可能であれば円板状等どのような形状であっても構わない。
【００２３】
そして、軸部２の上端には、釣り糸（図示せず）を結ぶための釣り糸連結部７が設けられており、一方、下端部にはルアー１５を設置するためのルアー連結部８が設けられている。なお、本実施の形態においては、釣り糸連結部７及びルアー連結部８は環状に形成しているが、釣り糸連結部７及びルアー連結部８の先端部をそれぞれ折曲して環状体を形成することもできる。
ルアー１５は２個の金具（サルカン）１８及び金具１９を介してルアー連結部８に接続されており、錘１７とフック１６を備えたソフトルアーである。設置するルアーの種類は特に限定されるものでなく、ルアー連結部８に設置可能であればどのようなルアーであってもよい。また、金具１８及び金具１９についても必要に応じて設置するとよいが、金具１９は、掛止を解除することによって下部の環状体が開環してルアー１５の着脱を容易にするので設置することによって利便性が向上する。
なお、本実施の形態における仕掛け釣具１は主に金属で形成されているが、水中において使用するので耐水性のあるステンレス等の金属で形成することが好ましい。
そして、円筒部３及び固定頭部材４周辺の構造の詳細については後述するが、円筒部３は軸部２に挿通されて軸部２を支軸として回動自在になっている。また、固定頭部材４は、４本の線材部９ａ〜９ｄの上端部を内部に収容して円筒部３に固設されている。従って、円筒部３が回動するとこの回動に連動して４本の線材部９ａ〜９ｄも軸部２を回転軸として回動することができる。なお、符号５ａ、５ｂは円筒部３を軸部２に留める留め具であり、符号６は円筒部３及び固定頭部材４が下方に落下しないようにするためにクランク状に形成された掛止部である。
【００２４】
ここで、図２を用いて円筒部及び固定頭部材の構造について詳細に説明する。
図２は、（ａ）は第１の実施の形態に係る仕掛け釣具の円筒部及び固定頭部材の垂直方向の断面を示す断面図であり、（ｂ）は同じく円筒部及び固定頭部材の水平方向の断面を示す断面図である。
図２（ａ）において、仕掛け釣具の円筒部３及び固定頭部材４の垂直方向の断面をみると、円筒部３は間隙２０をあけて軸部２に挿通されている。従って、接触による摩擦が発生することなく、円筒部３は軸部２を回動中心として周方向に回動することができる。また、円筒部３の上方及び下方には前述の留め具５ａ，５ｂがそれぞれ設置されているが、これらは円筒部３を保護する効果も発揮しうる。なお、本実施の形態では、留め具５ａ，５ｂは軸部２や円筒部３の上下端部にもそれぞれ固定されておらず、円筒部３の回動には連動しない構造になっているが、軸部２や円筒部３の上下端部に固定してもよい。また、円筒部３はプラスチックや金属等を用いて形成するとよい。
そして、掛止部６は、軸部２をクランク状に折曲して設けられ、円筒部３の図中下方への移動を抑止するが、軸部２の折曲による形成に代えて前述のとおり留め具５ｂを軸部２に固設することによっても実現できる。但し、留め具５ｂを固設する場合では、その上面全体に円筒部３の下端部が接触するため、回動時の摩擦が軸部２の折曲の場合よりも大きいと考えられる。
また、固定頭部材４は、図示していないが、内部に線材部の上端部を収容して円筒部３に固設されている。固定頭部材４は汎用のプラスチック（合成樹脂）材料で形成されており、水中における流動抵抗が小さくなるように上端部から下端にかけて丸み帯びた紡錘形状で、且つ、表面は滑らかに形成されている。なお、固定頭部材４と円筒部３の接合は接着剤を用いて接着するとよい。また、固定頭部材４をホットメルト接着剤を用いて形成すると、固定頭部材４の形成と円筒部３への接合を同時に行うことができるので簡便となる。このように固定頭部材４を汎用のプラスチック材料やホットメルト接着剤で形成すると、簡便且つ安価に形成でき、しかも軽量となる。
次に、図２（ｂ）において、仕掛け釣具の円筒部３及び固定頭部材４の水平方向の断面をみると、固定頭部材４の内部では、線材部９ａ〜９ｄが均等に配置されて固定頭部材４と接して固定されている。また、軸部２と円筒部３は周方向にわたって間隙２０を有しており、円筒部３の回動時には軸部２に接触しにくい構造であることがわかる。
このように軸部２は間隙２０が形成されるように円筒部３を挿通しているので、円筒部３は軸部２を回転軸として円滑に回動することができる。また、円筒部３には線材部９ａ〜９ｄが固定頭部材４に収容されて固設されているので、円筒部３の回動と線材部９ａ〜９ｄの回動を連動させることができる。
【００２５】
続いて、ブレードの形状について図３を参照しながら説明する。
図３（ａ）は、第１の実施の形態に係る仕掛け釣具のブレードの正面を示す正面図であり、（ｂ）は同じくブレードの一の側面を示す側面図であり、（ｃ）は同じくブレードの他の側面を示す側面図である。
図３（ａ）において、ブレード１０は、表面２２側を示しているが、木の葉の形状を象った金属製の板体であり、上部には孔１１が穿設されている。この孔１１は前述したように線材部への取り付けのための孔であり、線材部に直接挿通したり、クレビスに挿通したりして線材部に装着する。
また、下部にはブレード１０の一部を裏面側から屈曲した屈曲部２１が形成されている。
図３（ｂ）及び（ｃ）において、ブレード１０を側面からみると、屈曲部２１はブレード１０の下部においてその一部が裏面２３から表面２２に向けて屈曲されて形成されている。このような屈曲部２１を形成することによって、ブレード１０は水中で流れを受けることで一方向に回転することが可能となる。
また、ブレード１０は、表面２２が凹形状に形成され、裏面２３が凸形状に形成されているので、ブレード１０が水中において表面２２及び裏面２３に平行に移動する際には、凹形状の表面２２から凸形状の裏面に向けて揚力が発生する。従って、ブレード１０の運動が回動運度と相まって活発化されて動きに変化が付くので、魚の誘引効果をより向上させることができる。
なお、ブレード１０は表裏で凸凹形状を有しない平板状であってもよい。また、ブレード１０に光の反射に変化を与えるような細かな市松模様や鹿の子斑状に凸凹形状（ディンプル形状）を施してもよいし、小魚を模した模様等を施してもよい。
また、本第１の実施の形態におけるブレード１０は図示するような木の葉形状であるが、ブレード１０よりも長細く形成される木の葉形状や、コロラド系ブレードやインディアナ系ブレードと呼ばれる丸みを帯びたブレードに屈曲部２１を形成することもできる。そして、ブレード１０に代わってハチェットブレードやクロスブレードと呼ばれるブレードを用いてもよい。
【００２６】
次に、第１の本実施の形態に係る仕掛け釣具の使用時の動き方について図４を参照しながら説明する。
図４は、第１の実施の形態に係る仕掛け釣具を水中において使用する場合の概念図である。なお、図１で示した構成要素については、図４においても同一の符号を付して、その説明を省略する。
図４において、仕掛け釣具１は水中に投入されており、釣り糸連結部７には釣り糸２４が結ばれて、使用者がリトリーブと呼ばれる操作を行って、仕掛け釣具１は水中で軸部２に平行な方向に移動している。
そして、ブレード１０ａ〜１０ｄは水の流動を受けて回動するが、ブレード１０ａ〜１０ｄにはそれぞれ屈曲部が同じ方向に曲げられて同じ場所に設けられているので、図示するようにそれぞれ同一の一方向に向けて回転する。また、ブレード１０ａ〜１０ｄはそれぞれクレビス１２ａ〜１２ｄを介して４本の線材部９ａ〜９ｄに接続されているので、円滑な回転となる。
このようなブレード１０ａ〜１０ｄの回転によって振動や音や泡が発生し、また光が反射することによって水中にいる魚の注意を引くことができる。そして、ブレード１０ａ〜１０ｄは表面が凹状に形成され裏面が凸状に形成されているので、前述のとおり表面から裏面に向けて発生する揚力によって、ブレード１０ａ〜１０ｄの動きが活性化されるので発生する振動等に変化を与え、水中の魚への誘引効果を増大させることができる。
さらに、４本の線材部９ａ〜９ｄが、ブレード１０ａ〜１０ｄの回転（自転）に伴って、図示する方向に回転（公転）する。従って、仕掛け釣具１においては、ブレード１０ａ〜１０ｄはそれぞれ回転（自転）しながら、仕掛け釣具１の進行方向に進みつつ、軸部２の周方向に回転（公転）するので、単に仕掛け釣具１の進行方向に移動するものに比べると、動き方が一様でなく、小魚が遊泳している様子により似せて水中の魚の興味を引くことができる。従って、仕掛け釣具１に集魚しやすく、釣果を上げることが可能となる。
【００２７】
ここで、図５の説明図を参照しながら、ブレードの自転と公転に関する原理について説明する。
図５は、仕掛け釣具のブレードの自転と公転に関する説明図である。
図５において、説明を容易にするために軸部２に２本の線材部９が設けられており、そのそれぞれの先端に同じ方向に回転するインペラが設置されている場合を考える。インペラは２枚の羽根Ｐ１，Ｐ２から構成されており、符号ｒの方向に回転している。この場合に２枚の羽根Ｐ１，Ｐ２にかかる回転力をｆとし、また、それぞれの重心をＧ１，Ｇ２として軸部２からの距離（モーメントの腕）をそれぞれＬ１，Ｌ２とすると、それぞれの羽根Ｐ１，Ｐ２にかかるモーメントＭ１，Ｍ２は、これらの積をとりｆＬ１，ｆＬ２と表すことができる。
ここで、Ｌ１＞Ｌ２であることから、Ｍ１＞Ｍ２となり、線材部９に対して図に向かって手前側では下方に、奥側では上方に力が加わり、軸部２は符号Ｒで示される方向に回転する。
すなわち、図５において、インペラが回転する方向と、これを線材部を介して備える軸部は同じ方向に回転することになり、インペラは自転と同じ方向に公転することになる。
説明を容易にするために２つの線材部９にそれぞれインペラを設けた場合で説明したが、このインペラに代えて、屈曲部を備えたブレードでも同一の原理で説明することが可能である。また、線材部９は２本に限定されることなく、１本でも軸部２に対して角度を付して設けられる場合には同様の効果を発揮させることが可能であるし、もちろん、線材部９の数をさらに増加させてもよい。すなわち、第１の実施の形態はもちろんのこと、後で説明する第２の実施の形態においても成立する原理である。
なお、今回のインペラは自身が回転力を発揮するものではなく、水流によって回転するものであるため、プロペラ飛行機等において問題となることが知られている反トルクを発生させるものではない。インペラ（実施の形態ではブレード）が水流によって回転し、線材部９との摩擦力で前述のモーメントＭ１，Ｍ２が線材部９にかかり、これによって軸部２が同じ方向に回転するのである。
【００２８】
次に、第１の実施の形態に係る仕掛け釣具の第１の変形例について図６を参照しながら説明する。
図６は、第１の実施の形態に係る仕掛け釣具の第１の変形例を示す概念図である。なお、図１で示した構成要素については、図６においても同一の符号を付して、その説明を省略する。
図６において、仕掛け釣具２５では、固定頭部材２６に螺旋状の複数の溝２７が形成されているものである。溝２７は、凹形状に形成されており、水中において水の流動を受けると、固定頭部材２６を回動させる力が作用する。従って、前述したように、水中において、ブレード１０ａ〜１０ｄの回転によって、円筒部３、固定頭部材２６及び４本の線材部９ａ〜９ｄが回転するとき、これらの回転を補助して円滑な回転を行うことができる。あるいはこの螺旋状の溝２７を流れる水流によって回転の推進力を付与することで回転の契機を与えることも可能である。すなわち、円筒部３、固定頭部材２６及び４本の線材部９ａ〜９ｄの回転に伴う集魚効果を増大させることが可能となる。
なお、第１の本実施の形態においては、溝２７は凹形状に形成しているが、形状や形成する数は特に限定されるものではなく、例えば、凸形状に形成したり、インペラ（羽根）を形成したりすることも可能である。また、溝２７の螺旋の方向についてはブレード１０ａ〜１０ｄの回転及び線材部９ａ〜９ｄの回転を促進する方向に形成されることは言うまでもない。
【００２９】
次に、第１の本実施の形態に係る仕掛け釣具の第２の変形例について図７を参照しながら説明する。
図７は、第１の実施の形態に係る仕掛け釣具の第２の変形例を示す概念図である。なお、図１で示した構成要素については、図７においても同一の符号を付して、その説明を省略する。
図７において、仕掛け釣具２８では、図１に示した仕掛け釣具１における固定頭部材４を設けずに、４本の線材部９ａ〜９ｄを円筒部３に溶接によって接合しているものである。なお、円筒部３及び４本の線材部９ａ〜９ｄは溶接するためには金属で形成される必要がある。
図示するように線材部９ａ，９ｂ，９ｄは上端部の溶接部９ａ’，９ｂ’，９ｄ’において円筒部３に直接溶接されている。なお、図示していないが、線材部９ｃにおいても同様に溶接されている。
このように線材部９ａ〜９ｄを円筒部３に溶接すると、固定頭部材の設置による流動抵抗の低減はなされないものの、線材部９ａ〜９ｄと円筒部３との接合強度を強固することが可能であり、水中の使用においても外れることなく耐久性を向上させることができる。また、接合作業も簡単であり、固定頭部材を新たに設ける必要がないので、簡便な構造となる。
【００３０】
以上のように構成された本第１の実施の形態においては、ルアーの周辺に設置される複数のブレードは、ブレード自体が回転（自転）しながら、軸部を回転軸として回転（公転）することができるので、群れで泳ぐ小魚のように動き、水中の魚に対する誘引効果が極めて高い。
また、ブレードは屈曲部の形成やクレビスの装着によって円滑に回転し、特に、ブレードを表裏で凸凹に湾曲させて形成しているので発生する揚力によってブレードの動きが活性化し、水中の魚を惹き付ける振動や音や泡や光の反射を効果的に作り出すことができる。
【実施例１】
【００３１】
以下、本第１の実施の形態に係る仕掛け釣具を水中に投入して回転の様子を観察した実施例について説明する。
仕掛け釣具に釣り糸を連結して仕掛け釣具を装着した釣竿を準備し、釣竿を川岸に固定して、川の中に仕掛け釣具を投入した。そして、水中において仕掛け釣具を釣り糸の方向から撮影し、撮影した映像を目視で観察した。
仕掛け釣具を川の中に投入すると、４個のブレードは、川の流れによる水の流動を受けて４本の線材部を回転軸としてそれぞれ時計周りに回転した。そして、４本の線材部及び４個のブレードは軸部を回転軸として時計回りに回転した。
図８（ａ）乃至（ｅ）は、実施例に係る仕掛け釣具の水中における回転の様子を模式的に示した概念図である。
図８（ａ）乃至（ｅ）において、仕掛け釣具１は、軸部２の端部に連結される釣り糸（図示せず）の方向から見た場合の形状を模式的に示しており、軸部２と固定頭部材４と固定頭部材４に固設されて延びる４本の線材部９ａ〜９ｄと４本の線材部９ａ〜９ｄの下端部にそれぞれ設置されるブレード１０ａ〜１０ｄのみを示している。
まず、図８（ａ）において、線材部９ａ及びブレード１０ａは、時計の針で例えると、１２時の方向に位置している。そして、時間の経過とともに、図８（ｂ）、図８（ｃ）、図８（ｄ）、図８（ｅ）の位置に変化するが、線材部９ａ及びブレード１０ａは、図８（ｂ）では３時の方向へ移動し、続いて、図８（ｃ）では６時の方向へ移動し、さらに、図８（ｄ）では９時の方向へ移動し、そして、図８（ｅ）では再び１２時の方向へ移動した。すなわち、線材部９ａ及びブレード１０ａは水中では水の流動を受けて軸部２を回転軸として図中矢印のように時計回りに回転することが確認できた。なお、線材部９ａ及びブレード１０ａについてのみ説明したが、その他の３本の線材部９ｂ，９ｃ，９ｄ及びブレード１０ｂ，１０ｃ，１０ｄも線材部９ａ及びブレード１０ａと同様に軸部２を回転軸として時計回りに回転した。
また、各々のブレード１０ａ〜１０ｄは４本の線材部９ａ〜９ｄを回転軸としてそれぞれ図中矢印のように時計方向の一方向に、軸部２を回転軸とした線材部９ａ〜９ｄの回転よりも素早く回転することを目視で確認した。
なお、川岸に釣り竿を固定して、川の中に投入した仕掛け釣具１を横方向から撮影し、撮影した映像を目視で観察したところ、ブレード１０ａ〜１０ｄの線材部を回転軸とする時計回りの一方向の回転（自転）と、４本の線材部９ａ〜９ｄ及び４個のブレード１０ａ〜１０ｄの軸部２を回転軸とする時計回りの回転（公転）が確認できた。
【００３２】
以下に、本考案に係る仕掛け釣具の第２の実施の形態を図９及び図１０を参照しながら説明する。
図９は、本考案の第２の実施の形態に係る仕掛け釣具の概念図である。
図９において、仕掛け釣具２９は、線材部３６を１本のみ設置した構成であり、また、軸部３０は一直線状ではなく、掛止部３４から図中下方に折曲して形成されており、一般的なスピナーベイトと類似した形状を有している。
そして、軸部３０には、円筒部３１と固定頭部材３２が設置されており、円筒部３１は軸部３０に挿通されて、軸部３０の周方向に回動自在になっている。また、固定頭部材３２は、内部に線材部３６の端部を収容して円筒部３１に固設されて線材部３６を支持している。固定頭部材３２及び線材部３６は、円筒部３１の回動に連動して軸部３０を回転軸として回動する。
また、軸部３０は、折曲形成されて円筒部３１の図中右側への移動を抑止する掛止部３４を備え、この掛止部３４を超えると線材部３６から離れる方向に折曲されて、端部にルアー４１が装着されている。ルアー４１は、錘４２とラバースカート４３を備え、図示していないが、ラバースカート４３の内部にはフックが設けられている。なお、符号３３ａ，３３ｂは留め具であり、符号３５は釣り糸を連結する釣り糸連結部である。
なお、円筒部３１、固定頭部材３２、留め具３３ａ，３３ｂは、前述の第１の実施の形態に係る仕掛け釣具の円筒部、固定頭部材及び留め具と同様の構成であり、同様の作用効果を有するものである。
一方、線材部３６は、軸部３０から離れる方向に固定頭部材３２から屈曲されて延設されている。そして、端部にはブレード３７がクレビス３８を介して設けられており、クレビス３８の移動や落下を抑止する留め具３９及び留め具４０も設置されている。また、ブレード３７は、屈曲部４４を備えて水中での回転が一方向になるように形成されている。
本第２の実施の形態においても、水中に投入すると、水の流動を受けてブレード３７は線材部３６を回転軸として一方向に回転（自転）し、そして、線材部３６及びブレード３７は、軸部３０を回転軸として回転（公転）することができる。この原理については既に図５を参照して説明したとおりである。
【００３３】
次に、第２の実施の形態に係る仕掛け釣具の変形例について図１０を用いて説明する。
図１０は、第２の実施の形態に係る仕掛け釣具の変形例を示す概念図である。
図１０において、仕掛け釣具４５は、市販のスピナーベイトの一の軸部４６に線材部４８が追加設置されているものである。一般的なスピナーベイトは、１本の線材が釣り糸連結部５３で屈曲されて二股に分かれて２本の軸部を形成し、一の軸部４６には端部のブレード連結部５２にブレード（図示せず）が設置され、他の軸部４７の端部にはルアー４１が設置されている。ルアー４１は、図９に示すルアー４１と同様の構成であり、符号４２は錘で、符号４３はフックを備えたラバースカートある。もちろん、市販のスピナーベイトのブレード連結部５２に設置されている図示されていないブレードは屈曲されていないため、常に一定方向に回転するものではない。
一の軸部４６には、円筒部４９が挿通されており、この円筒部４９は一の軸部４６を周方向に回動自在である。また、円筒部４９の両端部には留め具５１ａ，５１ｂが一の軸部４６に固設されており、円筒部４９の移動が制限されている。そして、円筒部４９には固定部材５０が固設されて、この固定部材５０に線材部４８の端部が固定されている。線材部４８は、一の軸部４６の端部の方向に向かって固定部材５０から延設され、端部には屈曲部４４を備えるブレード３７がクレビス３８を介して設置されている。なお、留め具３９及び留め具４０は、クレビス３８の移動を制限するものである。
仕掛け釣具４５を水中に投入すると、ブレード３７は、水の流動を受けて回転（自転）するが、この回転は屈曲部４４の作用によって一方向になる。そして、線材部４８にはブレード３７の回転方向と同方向の力が作用し、線材部４８は一の軸部４６を回転軸として一方向に回転（公転）する。なお、線材部４８の回転は一の軸部４６に回動自在に挿通される円筒部４９によって支持される。
従って、仕掛け釣具４５では、水中において、ブレード３７の回転に加えて線材部４８が回転するので、既存のスピナーベイトに高い集魚効果を発揮することができる。
【００３４】
このように構成された本第２の実施の形態においては、線材部を１本のみ設置する構成であっても、水中において、線材部は軸部を回転軸として回転することが可能であり、効果的に集魚することが可能となる。
また、市販のスピナーベイトに設置することも可能であるので、既存品を利用して簡単に優れた仕掛け釣具を作製することが可能である。
【産業上の利用可能性】
【００３５】
以上説明したように、請求項１乃至請求項５に記載された本考案は、ブラックバスなどの肉食魚を集魚して釣果を上げる仕掛け釣具を提供可能であり、海釣りや川釣りの区別なく汎用の仕掛け釣具として適用可能である。
【符号の説明】
【００３６】
１…仕掛け釣具  ２…軸部  ３…円筒部  ４…固定頭部材  ５ａ，５ｂ…留め具  ６…掛止部  ７…釣り糸連結部  ８…ルアー連結部  ９，９ａ〜９ｄ…線材部  ９ａ’，９ｂ’，９ｄ’…溶接部  １０，１０ａ〜１０ｄ…ブレード  １１，１１ａ〜１１ｄ…孔  １２ａ〜１２ｄ…クレビス  １３ａ，１３ｂ，１３ｄ…留め具  １４ａ〜１４ｄ…留め具  １５…ルアー  １６…フック  １７…錘  １８…金具  １９…金具  ２０…間隙  ２１…屈曲部  ２２…表面  ２３…裏面  ２４…釣り糸  ２５…仕掛け釣具  ２６…固定頭部材  ２７…溝  ２８…仕掛け釣具  ２９…仕掛け釣具  ３０…軸部  ３１…円筒部  ３２…固定頭部材  ３３ａ，３３ｂ…留め具  ３４…掛止部  ３５…釣り糸連結部  ３６…線材部  ３７…ブレード  ３８…クレビス  ３９…留め具  ４０…留め具  ４１…ルアー  ４２…錘  ４３…ラバースカート  ４４…屈曲部  ４５…仕掛け釣具  ４６…一の軸部  ４７…他の軸部  ４８…線材部  ４９…円筒部  ５０…固定部材  ５１ａ，５１ｂ…留め具  ５２…ブレード連結部  ５３…釣り糸連結部
【図１】
0003190053.tif 000003
【図２】
0003190053.tif 000004
【図３】
0003190053.tif 000005
【図４】
0003190053.tif 000006
【図５】
0003190053.tif 000007
【図６】
0003190053.tif 000008
【図７】
0003190053.tif 000009
【図８】
0003190053.tif 000010
【図９】
0003190053.tif 000011
【図１０】
0003190053.tif 000012